(57)【要約】【課題】過給機を有するエンジンと自動変速機とを備えた車両用駆動装置において、前記自動変速機のアップシフトの変速時間が過給圧の上昇に起因して延びることを抑制することができる車両用駆動装置の制御装置を提供する。【解決手段】油圧制御補正手段１０４は、パワーオンアップシフト中において過給圧Ｐcmoutがイナーシャ相開始後に上昇する場合には、そのイナーシャ相開始後に上昇しない場合と比較して、自動変速機１２の係合側係合装置に作用する係合側油圧を前記イナーシャ相開始後において増大する係合側油圧補正制御を実行する。従って、前記係合側係合装置の同期が前記イナーシャ相開始後での過給圧Ｐcmoutの上昇に起因して遅れることを打ち消すように前記係合側油圧が増大されるので、自動変速機１２のアップシフトの変速時間が過給圧Ｐcmoutの上昇に起因して延びることを抑制することができる。【選択図】図３
2013174295.tif 000002
【特許請求の範囲】
【請求項１】
過給機を有するエンジンと、複数の係合装置を含み前記エンジンの動力を駆動輪へ出力する自動変速機とを備えた車両用駆動装置の制御装置であって、
車両加速時での前記自動変速機のアップシフト中においてイナーシャ相開始後に過給圧が上昇する場合には、該イナーシャ相開始後に過給圧が上昇しない場合と比較して、前記複数の係合装置のうちの前記アップシフトのために係合される係合装置に作用する係合側油圧を前記イナーシャ相開始後において増大する
ことを特徴とする車両用駆動装置の制御装置。
【請求項２】
前記イナーシャ相開始以前の予め定められた時間内で過給圧が低下するほど、前記係合側油圧を増大する油圧増大幅を大きくする
ことを特徴とする請求項１に記載の車両用駆動装置の制御装置。
【請求項３】
前記イナーシャ相開始時からの所定時間内で過給圧が増大するほど、前記係合側油圧を増大する油圧増大幅を大きくする
ことを特徴とする請求項１又は２に記載の車両用駆動装置の制御装置。
【発明の詳細な説明】
【技術分野】
【０００１】
本発明は、過給機付のエンジンと自動変速機とを備えた車両において、自動変速機の変速制御を適切に実行する技術に関するものである。
【背景技術】
【０００２】
エンジンと複数の係合装置を含む自動変速機とを備えた車両用駆動装置の制御装置が、従来からよく知られている。例えば、特許文献１の車両用制御装置がそれである。その特許文献１の車両用制御装置は、車両加速時での前記自動変速機のアップシフトすなわちパワーオンアップシフトに伴うエンジンの出力トルク増大中に、前記複数の係合装置のうちの前記アップシフトで係合される係合装置に作用する係合側油圧を増圧する。これにより、その係合される係合装置の滑りが大きくなることが抑制され、前記自動変速機の出力トルクの落込みが低減される。
【先行技術文献】
【特許文献】
【０００３】
【特許文献１】特開２０１０−２４２６５９号公報
【発明の概要】
【発明が解決しようとする課題】
【０００４】
ところで、特許文献１のエンジンは過給機を有さないが、過給機を有するエンジンも一般的に知られている。そのような過給機を有するエンジンを駆動力源とする車両において、前記パワーオンアップシフト中に過給圧が上昇すると、前記自動変速機に入力されるトルクが大きくなることで、前記係合される係合装置の同期が遅れ、実質的に変速時間が延びることが想定された。そして、前記特許文献１では、前記過給機が前記パワーオンアップシフトに与える影響が考慮されていないので、改良の余地があった。なお、このような課題は未公知のことである。
【０００５】
本発明は、以上の事情を背景として為されたものであり、その目的とするところは、過給機を有するエンジンと自動変速機とを備えた車両用駆動装置において、前記自動変速機のアップシフトの変速時間が過給圧の上昇に起因して延びることを抑制することができる車両用駆動装置の制御装置を提供することにある。
【課題を解決するための手段】
【０００６】
上記目的を達成するための第１発明の要旨とするところは、（ａ）過給機を有するエンジンと、複数の係合装置を含み前記エンジンの動力を駆動輪へ出力する自動変速機とを備えた車両用駆動装置の制御装置であって、（ｂ）車両加速時での前記自動変速機のアップシフト中においてイナーシャ相開始後に過給圧が上昇する場合には、そのイナーシャ相開始後に過給圧が上昇しない場合と比較して、前記複数の係合装置のうちの前記アップシフトのために係合される係合装置に作用する係合側油圧を前記イナーシャ相開始後において増大することを特徴とする。
【発明の効果】
【０００７】
このようにすれば、前記係合される係合装置の同期が前記イナーシャ相開始後での過給圧の上昇に起因して遅れることを打ち消すように前記係合側油圧が増大されるので、前記自動変速機のアップシフトの変速時間が過給圧の上昇に起因して延びることを抑制することができる。ここで、前記変速時間とは、例えば、前記アップシフトの変速判断時または変速指示時から、前記係合される係合装置の同期完了時すなわち完全係合時までの時間であるが、その変速時間の開始時点は特定されていれば他の時点であっても差し支えない。
【０００８】
ここで、第２発明の要旨とするところは、前記第１発明の車両用駆動装置の制御装置であって、前記イナーシャ相開始以前の予め定められた時間内で過給圧が低下するほど、前記係合側油圧を増大する油圧増大幅を大きくすることを特徴とする。このようにすれば、前記係合側油圧を増大するか否かを含めて前記油圧増大幅を、過給圧の上昇が前記変速時間に影響する前に、前もって決めることが可能である。
【０００９】
また、第３発明の要旨とするところは、前記第１発明又は前記第２発明の車両用駆動装置の制御装置であって、前記イナーシャ相開始時からの所定時間内で過給圧が増大するほど、前記係合側油圧を増大する油圧増大幅を大きくすることを特徴とする。このようにすれば、前記イナーシャ相開始以前における過給圧変化に基づいて前記係合側油圧を増大する場合と比較して、前記係合側油圧を増大するタイミングに近い時期の過給圧変化に基づいて前記係合側油圧を増大することになるので、その係合側油圧を増大する目的に即して適切にその係合側油圧を増大することが可能である。
【００１０】
ここで、好適には、前記過給機は、前記エンジンの排気によって回転駆動されてそのエンジンの吸気を昇圧する排気タービン過給機である。
【００１１】
また、好適には、前記油圧増大幅は、前記イナーシャ相の途中の時点から前記アップシフトが進行するほど大きくされる。
【図面の簡単な説明】
【００１２】
【図１】本発明が好適に適用される車両に備えられた車両用駆動装置の構成を説明するための骨子図である。
【図２】図１の車両用駆動装置に含まれる自動変速機において複数の変速段（ギヤ段）を成立させる際の係合要素の作動状態を説明するための作動表である。
【図３】図１の車両用駆動装置を制御するための電子制御装置に入力される信号を例示した図であると共に、その電子制御装置に備えられた制御機能の要部を説明するための機能ブロック線図である。
【図４】図３の電子制御装置に備えられた制御機能の要部を説明するためのタイムチャートであって、ｎ速からｎ＋１速へのパワーオンアップシフト中に係合側油圧補正制御が実行されるタイムチャートである。
【図５】図３の電子制御装置の制御作動の要部、すなわち、パワーオンアップシフト中に係合側油圧補正制御を実行する制御作動を説明するためのフローチャートである。
【発明を実施するための形態】
【００１３】
以下、本発明の実施例を図面を参照しつつ詳細に説明する。
【実施例】
【００１４】
図１は、本発明が好適に適用される車両６に備えられた車両用駆動装置７の構成を説明するための骨子図である。車両６は車両用駆動装置７及び一対の駆動輪３８等を備えており、その車両用駆動装置７は車両用動力伝達装置８（以下、「動力伝達装置８」という）とエンジン１０とを備えている。その動力伝達装置８は、エンジン１０と駆動輪３８との間に介装されており、自動変速機１２と、エンジン１０の出力軸１３に連結されてそのエンジン１０と自動変速機１２との間に介装されたトルクコンバータ１４とを備えている。そして、動力伝達装置８は、車両６（図３参照）の左右方向（横置き）に搭載するＦＦ車両に好適に用いられるものである。
【００１５】
自動変速機１２は、エンジン１０から駆動輪３８（図３参照）への動力伝達経路の一部を構成しており、エンジン１０の動力を駆動輪３８に向けて出力する。すなわち、変速機入力軸２６に入力されたエンジン１０の動力を出力歯車２８から駆動輪３８に向けて出力する。自動変速機１２は、複数の遊星歯車装置１６，２０，２２と、複数の油圧式摩擦係合装置（クラッチＣ、ブレーキＢ）具体的には５つの油圧式摩擦係合装置（第１クラッチＣ１，第２クラッチＣ２，第１ブレーキＢ１，第２ブレーキＢ２，第３ブレーキＢ３）と、一方向クラッチＦ１とを備え、その複数の油圧式摩擦係合装置の何れかの掴み替えにより複数の変速段（ギヤ段）が択一的に成立させられる有段の変速機である。例えば、自動変速機１２は、車速Ｖとアクセル開度Ａccとで表される車両状態に基づき予め設定された関係（変速線図）に従って変速を行う。端的に言えば、一般的な車両によく用いられる所謂クラッチツークラッチ変速を行う有段変速機である。すなわち、自動変速機１２の変速（ダウンシフト又はアップシフト）は、その変速のために係合される係合装置である係合側係合装置が係合作動すると共に、その変速のために解放される係合装置である解放側係合装置が解放作動することにより、進行する。具体的に、自動変速機１２の第１遊星歯車装置１６はシングルピニオン型であり、第１サンギヤＳ１と第１ピニオンギヤＰ１と第１キャリヤＣＡ１と第１リングギヤＲ１とを備えている。また、第２遊星歯車装置２０はダブルピニオン型であり、第２サンギヤＳ２と第２ピニオンギヤＰ２と第３ピニオンギヤＰ３と第２キャリヤＣＡ２と第２リングギヤＲ２とを備えている。また、第３遊星歯車装置２２はシングルピニオン型であり、第３サンギヤＳ３と第３ピニオンギヤＰ３と第３キャリヤＣＡ３と第３リングギヤＲ３とを備えている。その第２遊星歯車装置２０および第３遊星歯車装置２２は、第２、第３リングギヤＲ２およびＲ３が共通の部材にて構成されており、且つ第３遊星歯車装置２２の第３ピニオンギヤＰ３が第２遊星歯車装置２０の一方のピニオンギヤを兼ねているラビニヨ型の遊星歯車列とされている。図１から判るように、自動変速機１２の入力回転部材である変速機入力軸２６はトルクコンバータ１４のタービン軸である。また、自動変速機１２の出力回転部材である出力歯車２８は、差動歯車装置３２（図３参照）のデフドリブンギヤ（大径歯車）３４と噛み合うデフドライブギヤとして機能している。エンジン１０の出力は、トルクコンバータ１４、自動変速機１２、差動歯車装置３２、および一対の車軸３６を介して一対の駆動輪（前輪）３８へ伝達されるようになっている（図３参照）。なお、この自動変速機１２は中心線に対して略対称的に構成されており、図１ではその中心線の下半分が省略されている。
【００１６】
図２は、自動変速機１２において複数の変速段（ギヤ段）を成立させる際の係合要素の作動状態を説明するための作動表である。図２の作動表は、上記各変速段とクラッチＣ１、Ｃ２、ブレーキＢ１〜Ｂ３の作動状態との関係をまとめたものであり、「○」は係合、「◎」はエンジンブレーキ時のみ係合、「△」は駆動時のみ係合を表している。図２に示すように、自動変速機１２は、各係合要素（クラッチＣ１、Ｃ２、ブレーキＢ１〜Ｂ３）の作動状態に応じて第１速ギヤ段「１ｓｔ」〜第６速ギヤ段「６ｔｈ」の６つの前進変速段が成立させられるとともに、後進変速段「Ｒ」の後進変速段が成立させられる。なお、第１変速段「１ｓｔ」を成立させるブレーキＢ２には並列に一方向クラッチＦ１が設けられているため、発進時（加速時）には必ずしもブレーキＢ２を係合させる必要は無いのである。また、自動変速機１２の変速比γatは、変速機入力軸２６の回転速度Ｎinである入力回転速度Ｎinと出力歯車２８の回転速度Ｎoutである出力回転速度Ｎoutとに基づいて「変速比γat＝入力回転速度Ｎin／出力回転速度Ｎout」という式から算出される。
【００１７】
上記クラッチＣ１、Ｃ２、およびブレーキＢ１〜Ｂ３（以下、特に区別しない場合は単にクラッチＣ、ブレーキＢという）は、多板式のクラッチやブレーキなど油圧アクチュエータによって係合制御される油圧式摩擦係合装置であり、油圧制御回路４０（図１参照）に設けられたリニアソレノイドバルブの励磁、非励磁や電流制御により、係合、解放状態が切り換えられるとともに、係合、解放時の過渡油圧などが制御される。
【００１８】
トルクコンバータ１４は、エンジン１０の出力軸（クランク軸）１３に連結されたポンプ翼車１４ａと、自動変速機１２の変速機入力軸２６に連結されたタービン翼車１４ｂと、一方向クラッチを介して自動変速機１２のハウジング（トランスミッションケース）３０に連結されたステータ翼車１４ｃとを備えており、エンジン１０により発生させられた動力を自動変速機１２へ流体を介して伝達する流体伝動装置である。また、上記ポンプ翼車１４ａ及びタービン翼車１４ｂの間には、直結クラッチであるロックアップクラッチ４６が設けられており、油圧制御等により係合状態、スリップ状態、或いは解放状態とされるようになっている。このロックアップクラッチ４６が係合状態とされることにより、厳密に言えば、完全係合状態とされることにより、上記ポンプ翼車１４ａ及びタービン翼車１４ｂが一体回転させられる。
【００１９】
エンジン１０は、ディーゼルエンジンまたはガソリンエンジンなどの内燃機関であり、過給機５４を備えている。その過給機５４は、エンジン１０の吸排気系に設けられており、エンジン１０の排気によって回転駆動されてエンジン１０の吸気を昇圧する公知の排気タービン過給機、すなわちターボチャージャーである。具体的には図１に示すように、過給機５４は、エンジン１０の排気管５６内に設けられエンジン１０の排気によって回転駆動される排気タービンホイール５８と、エンジン１０の吸気管６０内に設けられ排気タービンホイール５８により回転させられることでエンジン１０の吸気を圧縮する吸気コンプレッサーホイール６２と、排気タービンホイール５８と吸気コンプレッサーホイール６２とを連結する回転軸６４とを備えている。エンジン１０は、過給機５４を駆動するのに十分なエンジン１０の排気が排気タービンホイール５８に導かれると、過給機５４により過給される過給状態で動作する。一方で、排気タービンホイール５８に導かれるエンジン１０の排気が過給機５４の駆動に不十分であると過給機５４が殆ど駆動されず、エンジン１０は、前記過給状態に比して過給が抑制された状態すなわち過給機５４の無い自然吸気エンジンと同等の過給されない吸気の状態である自然吸気状態（ＮＡ状態又は非過給状態とも言う）で動作する。
【００２０】
また、排気管５６内の排気タービンホイール５８が設けられている排気経路と並列に配設された排気バイパス経路６６と、その排気バイパス経路６６を開閉するウェイストゲートバルブ６８とが設けられている。ウェイストゲートバルブ６８は、そのウェイストゲートバルブ６８の開度θwg（以下、ウェイストゲートバルブ開度θwgという）が連続的に調節可能になっており、電子制御装置５２は、電動アクチュエータ７０を制御することにより、吸気管６０内の圧力を利用してウェイストゲートバルブ６８を連続的に開閉する。また、ウェイストゲートバルブ開度θwgが大きいほどエンジン１０の排気は排気バイパス経路６６を通って排出され易くなるので、エンジン１０を前記過給状態にすることが可能な程度にエンジン１０の排気ポートからの排気が得られていれば、吸気管６０内での吸気コンプレッサーホイール６２の下流側気圧PLin、要するに過給機５４の過給圧Ｐcmout（＝PLin）は、ウェイストゲートバルブ開度θwgが大きいほど低くなる。すなわち、ウェイストゲートバルブ６８は、過給圧Ｐcmoutを調節する過給圧調節装置として機能する。例えば、エンジン１０を前記過給状態にする動作範囲（エンジン動作点の範囲）である過給域と、その過給域に対して低エンジントルク側に設けられ且つエンジン１０を前記非過給状態にする動作範囲である非過給域とに領域分けされた過給動作マップが予め実験的に設定されている。そして、電子制御装置５２は、エンジン回転速度ＮeとエンジントルクＴeとで表されるエンジン１０の動作点（エンジン動作点）を前記非過給域から前記過給域に移行する場合には、ウェイストゲートバルブ６８を閉方向に作動させることにより過給機５４に過給させる。逆に、前記エンジン動作点を前記過給域から前記非過給域に移行する場合には、ウェイストゲートバルブ６８を開方向に作動させることにより過給機５４による過給を停止又は抑制する。前記過給動作マップは、例えば、運転者の要求に従って可及的に大きな駆動力Ｆcが得られるように、且つ、車両６の燃費悪化が可及的に抑えられるように、予め実験的に設定されている。駆動力Ｆcとは車両６を進行方向へ推進する推進力である。
【００２１】
また、電子制御装置５２は、エンジン１０が前記過給状態にある場合には、予め実験的に定められた関係から、アクセル開度Ａcc及び車速Ｖ等で表される車両状態に基づいて、過給圧Ｐcmoutの目標値である目標過給圧PTcmout（目標吸気圧PTcmoutと呼んでもよい）を逐次決定し、その予め決定した目標過給圧PTcmoutに過給圧Ｐcmoutを近づけるように過給機５４を作動させる。具体的には、ウェイストゲートバルブ開度θwgまたはスロットル開度θthを制御することにより過給圧Ｐcmoutを目標過給圧PTcmoutに近づける。例えば、目標過給圧PTcmoutは、前記予め実験的に定められた関係に従って、アクセル開度Ａccが大きいほど大きく設定される。
【００２２】
また、エンジン１０は電子スロットル弁７２を備えている。その電子スロットル弁７２は、エンジン１０の吸気管６０内の吸気コンプレッサーホイール６２よりも下流側に設けられエンジン１０の吸入空気量Ｑinを調節する弁機構であって、電動のスロットルアクチュエータ９４により開閉作動させられる。
【００２３】
図３は、車両用駆動装置７の制御装置としての機能を含む電子制御装置５２に入力される信号を例示した図であると共に、電子制御装置５２に備えられた制御機能の要部を説明するための機能ブロック線図である。この電子制御装置５２は、所謂マイクロコンピュータを含んで構成されており、予め記憶されたプログラムに従って信号処理を行うことにより例えばエンジン１０や自動変速機１２に関する車両制御を実行するものである。
【００２４】
電子制御装置５２には、図３に示すような各センサやスイッチなどから、スロットル開度センサ７４により検出される電子スロットル弁７２の開度θthすなわちスロットル開度θthを表す信号、第１吸気センサ７６により検出される吸気管６０内での吸気コンプレッサーホイール６２の上流側気圧PHinを表す信号、第２吸気センサ（過給圧センサ）７８により検出される吸気管６０内での吸気コンプレッサーホイール６２の下流側気圧PLin（＝過給圧Ｐcmout）を表す信号、エンジン回転速度センサ８４により検出されるエンジン回転速度Ｎeを表す信号、出力回転速度センサ８６により検出される出力歯車２８の回転速度Ｎoutを表す信号、運転者の要求出力に対応するアクセルペダル８８の踏込量であるアクセル開度Ａccを表すアクセル開度センサ９０からの信号、タービン翼車１４ｂの回転速度Ｎt（以下、「タービン回転速度Ｎt」という）すなわち変速機入力軸２６の回転速度Ｎin（＝Ｎt）を表すタービン回転速度センサ９２からの信号、車速センサ９６により検出される車速Ｖを表す信号、および、吸入空気量センサ９８により検出されるエンジン１０の吸入空気量Ｑin（以下、エンジン吸入空気量Ｑinという）を表す信号等が、それぞれ供給される。なお、出力歯車２８の回転速度Ｎoutは車速Ｖに対応するので、出力回転速度センサ８６と車速センサ９６とは一つの共通のセンサとされてもよい。また、コンプレッサー上流側吸気圧PHinは大気圧Ｐairと同じであるので、第１吸気センサ７６はその大気圧Ｐairを検出する大気圧センサとしても機能する。
【００２５】
また、電子制御装置５２から、車両６に設けられた各装置に各種出力信号が供給されるようになっている。例えば、電子制御装置５２は、逐次検出されるアクセル開度Ａccに基づき、予め定められたスロットル開度θthとアクセル開度Ａccとの関係であるスロットル開度特性に従ってスロットル開度θthを制御する。具体的には、アクセル開度Ａccが大きいほど前記スロットル開度特性に従ってスロットル開度θthが大きくされる。
【００２６】
ところで、本実施例の車両６では、車両加速時での自動変速機１２のアップシフト中すなわちパワーオンアップシフト中に、そのアップシフトのイナーシャ相開始時までは車速Ｖの上昇に連れてエンジン回転速度Ｎeが上昇するので、そのエンジン回転速度Ｎeの上昇に伴い過給圧Ｐcmoutが低下することがある。一方で、前記イナーシャ相開始時からはエンジン回転速度Ｎeが変速進行に従って低下するので、そのエンジン回転速度Ｎeの低下に伴い過給圧Ｐcmoutが上昇することがある。更に、前記イナーシャ相開始時までに生じる過給圧Ｐcmoutの低下が急であるほど、前記イナーシャ相開始時から過給圧Ｐcmoutが急に上昇し易い傾向にある。このようにしてアップシフトのイナーシャ相中に過給圧Ｐcmoutが上昇すること、特にそのイナーシャ相の終期に過給圧Ｐcmoutが上昇することは、エンジントルクＴeを増大させるので、前記係合側係合装置の同期（完全係合）を遅らせ、前記パワーオンアップシフトの実質的な終了時点を遅らせるように作用する。また、過給機５４は前記排気タービン過給機であるので、精度の高い制御性を見込むことはできず、非常に短時間である変速中に過給圧Ｐcmoutを最適に制御することは困難であり、エンジントルクＴeは過給圧Ｐcmoutの変動に対して応答遅れを有して変動する。そこで、本実施例の電子制御装置５２は、前記パワーオンアップシフトの実質的な終了時点、具体的には前記係合側係合装置の完全係合時点が過給圧Ｐcmoutの上昇に起因して遅れることを抑制する制御を実行する。その制御機能の要部について、図３を用いて説明する。
【００２７】
図３に示すように、電子制御装置５２は、変速状況判断部である変速状況判断手段１００と、過給状況判断部である過給状況判断手段１０２と、油圧制御補正部である油圧制御補正手段１０４とを機能的に備えている。
【００２８】
変速状況判断手段１００は、自動変速機１２が前記パワーオンアップシフト中であるか否かを逐次判断する。例えば、自動変速機１２のアップシフトを行う変速判断が前記変速線図からなされており、且つ、アクセル開度Ａccが、運転者の加速意思を判断できるように予め実験的に設定されたパワーオン判定値以上である場合に、変速状況判断手段１００は、自動変速機１２が前記パワーオンアップシフト中であると判断する。
【００２９】
過給状況判断手段１０２は、第２吸気センサ７８により過給圧Ｐcmoutを逐次検出しており、前記パワーオンアップシフト中において過給圧Ｐcmoutがイナーシャ相開始時に対してそのイナーシャ相開始後に上昇するか否かを判断する。すなわち、前記パワーオンアップシフト中において過給圧Ｐcmoutがイナーシャ相の初期からイナーシャ相の終期にかけて上昇するか否かを判断する。自動変速機１２が前記パワーオンアップシフト中であるか否かに関しては変速状況判断手段１００の判断に基づく。具体的には、前述したように、前記パワーオンアップシフトでは、前記イナーシャ相開始時までに生じる過給圧Ｐcmoutの低下が急であるほど、前記イナーシャ相開始時から過給圧Ｐcmoutが急に上昇し易いので、過給状況判断手段１０２は、前記イナーシャ相開始時までの過給圧Ｐcmoutの変化に基づいて、詳細には、そのイナーシャ相開始以前の予め定められた時間内における過給圧Ｐcmoutの変化に基づいて、過給圧Ｐcmoutがイナーシャ相開始時に対してそのイナーシャ相開始後に上昇するか否かを予測して判断する。例えば、過給状況判断手段１０２は、前記アップシフトの変速判断時からそのアップシフトのイナーシャ相開始時までの過給圧Ｐcmoutの上昇幅ΔP1である第１過給圧上昇幅ΔP1（過給圧Ｐcmoutが上昇すればΔP1＞０、逆に、過給圧Ｐcmoutが低下すればΔP1＜０）が予め実験的に定められた第１過給圧変動判定値α未満であれば、過給圧Ｐcmoutが前記イナーシャ相開始後に上昇すると判断する。ここで、その第１過給圧変動判定値αは負の値であって、例えば、前記係合側係合装置の完全係合を遅らせる程度にまで過給圧Ｐcmoutが前記イナーシャ相開始後に上昇することを予測できるように、予め実験的に定められている。また、第１過給圧上昇幅ΔP1および第１過給圧変動判定値αは、過給圧Ｐcmoutが上昇する方向が正方向である。
【００３０】
また、過給状況判断手段１０２は、前記第１過給圧上昇幅ΔP1が前記第１過給圧変動判定値α以上である場合には、前記イナーシャ相開始時からの所定時間ｔ内での過給圧Ｐcmoutの変化に基づいて、詳細には、そのイナーシャ相開始初期の極めて短い前記所定時間ｔ内での過給圧Ｐcmoutの変化に基づいて、過給圧Ｐcmoutがイナーシャ相開始時に対してそのイナーシャ相開始後に上昇するか否かを予測して判断する。その所定時間ｔは、過給圧Ｐcmoutがイナーシャ相開始後に上昇するか否かを予測でき且つ可及的に短時間になるように予め実験的に設定されている。例えば、過給状況判断手段１０２は、前記イナーシャ相開始時から前記所定時間ｔが経過するまでの過給圧Ｐcmoutの上昇幅ΔP2である第２過給圧上昇幅ΔP2（過給圧Ｐcmoutが上昇すればΔP2＞０、逆に、過給圧Ｐcmoutが低下すればΔP2＜０）が予め実験的に定められた第２過給圧変動判定値βよりも大きければ、過給圧Ｐcmoutが前記イナーシャ相開始後に上昇すると判断する。ここで、第２過給圧変動判定値βは正の値であって、例えば、前記係合側係合装置の完全係合を遅らせる程度にまで過給圧Ｐcmoutが前記イナーシャ相開始後に上昇することを予測できるように、予め実験的に定められている。また、第２過給圧上昇幅ΔP2および第２過給圧変動判定値βは、過給圧Ｐcmoutが上昇する方向が正方向である。なお、前記第１過給圧上昇幅ΔP1に基づいた判断に加えて前記第２過給圧上昇幅ΔP2に基づいた判断を行うのはより正確な判断を行うためであるので、その第１過給圧上昇幅ΔP1に基づいた判断と第２過給圧上昇幅ΔP2に基づいた判断との一方だけが行われても差し支えない。
【００３１】
油圧制御補正手段１０４は、前記パワーオンアップシフト中において過給圧Ｐcmoutが前記イナーシャ相開始後に上昇する場合には、そのイナーシャ相開始後に上昇しない場合と比較して、前記係合側係合装置を係合作動させる係合側油圧を前記イナーシャ相開始後において増大する係合側油圧補正制御を実行する。前記パワーオンアップシフト中において過給圧Ｐcmoutが前記イナーシャ相開始後に上昇する場合であるか否かに関しては過給状況判断手段１０２の判断に基づく。この係合側油圧補正制御を説明するためのタイムチャートが図４に表されている。
【００３２】
図４は、ｎ速からｎ＋１速への前記パワーオンアップシフト中に前記係合側油圧補正制御が実行されるタイムチャートである。この図４に示されるアップシフトは、自動変速機１２の例えば第３速から第４速への変速のような前記クラッチツークラッチ変速である。第３速から第４速へのアップシフトであれば、図２から判るように、第３ブレーキＢ３が前記解放側係合装置に該当し、第２クラッチＣ２が前記係合側係合装置に該当する。また、図１の構成から判るように、エンジン回転速度Ｎeはトルクコンバータ１４のスリップを加味すれば自動変速機１２の入力回転速度Ｎinに対応して変化するので、エンジン回転速度Ｎeのタイムチャートは入力回転速度Ｎinのタイムチャートと見ることができる。図４のt1時点は、自動変速機１２のアップシフトを行う変速判断がなされた時点すなわち変速開始時点であり、そのt1時点では前記変速判断と同時に、その変速判断に基づいた変速指示すなわち変速のための指令信号を出力する変速出力がなされている。また、そのt1時点以前において過給圧Ｐcmoutは目標過給圧（目標吸気圧）PTcmoutに既に到達している。
【００３３】
t2時点は前記アップシフトのイナーシャ相開始時点であり、過給状況判断手段１０２は、t1時点からt2時点までの過給圧Ｐcmoutの上昇幅を第１過給圧上昇幅ΔP1として算出する。そして、t2時点にて、過給状況判断手段１０２は、その第１過給圧上昇幅ΔP1が前記第１過給圧変動判定値α未満であるか否かを判断する。
【００３４】
また、過給状況判断手段１０２は、第１過給圧上昇幅ΔP1が第１過給圧変動判定値α未満ではない場合には、t2時点から前記所定時間ｔが経過するまでの過給圧Ｐcmoutの上昇幅を第２過給圧上昇幅ΔP2として算出する。そして、前記所定時間ｔが経過した時点にて、過給状況判断手段１０２は、その第２過給圧上昇幅ΔP2が前記第２過給圧変動判定値βよりも大きいか否かを判断する。図４には、t2時点よりも前ではエンジン回転速度Ｎeが上昇するに連れて過給圧Ｐcmoutが低下し、t2時点以降ではエンジン回転速度Ｎeが低下するに連れて過給圧Ｐcmoutが上昇することが表されている。
【００３５】
そして、過給状況判断手段１０２は、第１過給圧上昇幅ΔP1が第１過給圧変動判定値α未満であれば、或いは、第２過給圧上昇幅ΔP2が第２過給圧変動判定値βよりも大きければ、t2時点以降の過給圧Ｐcmoutのタイムチャートのように、過給圧Ｐcmoutが前記イナーシャ相開始後に上昇すると判断する。過給状況判断手段１０２により過給圧Ｐcmoutが前記イナーシャ相開始後に上昇すると判断されると、油圧制御補正手段１０４は、前記イナーシャ相の途中のt3時点から前記係合側油圧補正制御を開始する。例えばそのイナーシャ相の終期（変速終期）において前記係合側油圧補正制御を実行する。図４では、その係合側油圧補正制御が実行されたときのエンジン回転速度Ｎeのタイムチャートが破線L01で表されており、その係合側油圧補正制御が実行されたときの前記係合側油圧（制御指示値）のタイムチャートが破線L02で表されている。一方で、前記破線L01に対し並列的に示された実線L03は、過給状況判断手段１０２により過給圧Ｐcmoutが前記イナーシャ相開始後に上昇すると判断されたにも拘らず前記係合側油圧補正制御が実行されないと仮定したときのエンジン回転速度Ｎeのタイムチャートを表している。また、前記破線L02に対し並列的に示された実線L04は、前記係合側油圧補正制御が実行されないときの前記係合側油圧（制御指示値）のタイムチャート、すなわち、過給状況判断手段１０２により過給圧Ｐcmoutが前記イナーシャ相開始後に上昇すると判断されなかったときの前記係合側油圧（制御指示値）のタイムチャートを表している。前記破線L02と実線L04との間の圧力差で示されるように、油圧制御補正手段１０４は、前記係合側油圧補正制御の実行で前記係合側油圧を増大する油圧増大幅dPenを、t3時点からアップシフトが進行するほど大きくする。例えば、前記破線L02で示される前記係合側油圧（制御指示値）は、油圧増大幅dPenが、予め実験的に定められた関係から前記変速の進行度に応じて逐次決定され、予め決まっている実線L04で示される前記係合側油圧（制御指示値）にその油圧増大幅dPenが加算されることにより、逐次算出されてもよい。しかし本実施例では、前記入力回転速度Ｎinが逐次検出されており、前記破線L02で示される前記係合側油圧（制御指示値）は、目標とする変速の進行度と入力回転速度Ｎinとの予め定められた関係が維持されてイナーシャ相が進行するように、具体的にはエンジン回転速度Ｎeが破線L01のように変化するように、前記入力回転速度Ｎinに基づいてフィードバック制御により逐次決定される。従って、前記係合側油圧補正制御の開始時点であるt3時点は、エンジン回転速度Ｎeのタイムチャートで破線L01と実線L03とが互いに分岐する時点に一致又は略一致する。
【００３６】
また、前記係合側油圧（制御指示値）が、破線L02に示されるように、前記係合側油圧補正制御の実行によってイナーシャ相中に増圧されるので、前記係合側係合装置の完全係合時点は、前記係合側油圧補正制御が実行されないと仮定したときのt4'時点から、前記係合側油圧補正制御が実行されたときのt4時点へと、その係合側油圧補正制御の実行により早まっている。詳細には、前記係合側油圧補正制御が実行されないと、実線L03のようにエンジン回転速度Ｎeの低下勾配が次第に緩やかになって前記係合側係合装置の完全係合時点がt4'時点にまで遅れることになる。これに対し、前記係合側油圧補正制御が実行されると、破線L01のようにエンジン回転速度Ｎeの低下勾配が目標に近い勾配に維持されたまま前記係合側係合装置がt4時点で完全係合に至るので、過給圧Ｐcmoutの上昇に起因した前記完全係合時点の遅延が抑制されている。
【００３７】
図５は、電子制御装置５２の制御作動の要部、すなわち、前記パワーオンアップシフト中に前記係合側油圧補正制御を実行する制御作動を説明するためのフローチャートである。この図５に示す制御作動は、単独で或いは他の制御作動と並列的に実行される。
【００３８】
先ず、ステップ（以下、「ステップ」を省略する）ＳＡ１においては、車両６の走行状態や負荷状態が検出される。その走行状態および負荷状態は、互いに厳密に区別されるものではなく、その走行状態も負荷状態も、例えば、車速Ｖ、エンジン回転速度Ｎe、アクセル開度Ａcc、スロットル開度θth、過給圧Ｐcmout（＝吸気圧）などのパラメータの一部若しくは全部により表される。その走行状態および負荷状態は車両状態と総称されてもよい。ＳＡ１の次はＳＡ２に移る。
【００３９】
変速状況判断手段１００に対応するＳＡ２においては、自動変速機１２が前記パワーオンアップシフト中であるか否かが判断される。このＳＡ２の判断が肯定された場合、すなわち、自動変速機１２が前記パワーオンアップシフト中である場合には、ＳＡ３に移る。一方で、このＳＡ２の判断が否定された場合には、ＳＡ２を繰り返す。
【００４０】
ＳＡ３においては、前記第１過給圧上昇幅ΔP1が前記第１過給圧変動判定値α未満であるか否かが判断される。このＳＡ３の判断が肯定された場合、すなわち、第１過給圧上昇幅ΔP1が第１過給圧変動判定値α未満である場合には、ＳＡ５に移る。一方で、このＳＡ３の判断が否定された場合には、ＳＡ４に移る。
【００４１】
ＳＡ４においては、前記第２過給圧上昇幅ΔP2が前記第２過給圧変動判定値βよりも大きいか否かが判断される。このＳＡ４の判断が肯定された場合、すなわち、第２過給圧上昇幅ΔP2が第２過給圧変動判定値βよりも大きい場合には、ＳＡ５に移る。一方で、このＳＡ４の判断が否定された場合には、本フローチャートは終了する。なお、ＳＡ３およびＳＡ４は過給状況判断手段１０２に対応する。
【００４２】
油圧制御補正手段１０４に対応するＳＡ５においては、前記係合側油圧補正制御が実行される。その係合側油圧補正制御では、図４に示されるように、自動変速機１２のアップシフトの終期において、すなわちそのアップシフトの終了時において、前記係合側油圧が増圧補正される。
【００４３】
上述のように、本実施例によれば、油圧制御補正手段１０４は、前記パワーオンアップシフト中において過給圧Ｐcmoutが前記イナーシャ相開始後に上昇する場合には、そのイナーシャ相開始後に上昇しない場合と比較して、前記係合側係合装置に作用する前記係合側油圧を前記イナーシャ相開始後において増大する前記係合側油圧補正制御を実行する。従って、前記係合側係合装置の同期が前記イナーシャ相開始後での過給圧Ｐcmoutの上昇に起因して遅れることを打ち消すように前記係合側油圧が増大されるので、自動変速機１２のアップシフトの変速時間が過給圧Ｐcmoutの上昇に起因して延びることを抑制することができる。
【００４４】
また、本実施例によれば、油圧制御補正手段１０４は、前記パワーオンアップシフトの変速判断時からそのアップシフトのイナーシャ相開始時までの過給圧Ｐcmoutの上昇幅である前記第１過給圧上昇幅ΔP1が、予め定められた前記第１過給圧変動判定値α未満である場合には、前記係合側油圧補正制御を実行する。すなわち、油圧制御補正手段１０４は、過給圧Ｐcmoutが前記イナーシャ相開始以前の予め定められた時間内（例えば図４のt1〜t2時点）で大幅に低下するほど、前記係合側油圧を増大する前記油圧増大幅dPenを大きくする。従って、前記係合側油圧を増大するか否かを含めて前記油圧増大幅を、過給圧Ｐcmoutの上昇が前記変速時間に影響する前に、前もって決めることが可能である。
【００４５】
また、本実施例によれば、油圧制御補正手段１０４は、前記イナーシャ相開始時から前記所定時間ｔが経過するまでの過給圧Ｐcmoutの上昇幅である前記第２過給圧上昇幅ΔP2が、予め定められた前記第２過給圧変動判定値βよりも大きい場合には、前記係合側油圧補正制御を実行する。すなわち、油圧制御補正手段１０４は、過給圧Ｐcmoutが前記イナーシャ相開始時からの所定時間ｔ（図４参照）内で大幅に増大するほど、前記油圧増大幅dPenを大きくする。従って、前記イナーシャ相開始以前における過給圧Ｐcmoutの変化に基づいて前記係合側油圧補正制御を実行する場合と比較して、前記係合側油圧補正制御を開始するタイミング（例えば図４のt3時点）に近い時期の過給圧Ｐcmout変化に基づいて前記係合側油圧補正制御を開始することになるので、前記係合側油圧補正制御を実行する目的に即してその係合側油圧補正制御が適切に実行される。
【００４６】
以上、本発明の実施例を図面に基づいて詳細に説明したが、これはあくまでも一実施形態であり、本発明は当業者の知識に基づいて種々の変更、改良を加えた態様で実施することができる。
【００４７】
例えば、前述の実施例において、車両６は走行用の駆動力源として電動機を備えていないが、走行用の電動機を備えたハイブリッド車両であっても差し支えない。
【００４８】
また、前述の実施例において、前記第１過給圧上昇幅ΔP1は、自動変速機１２のアップシフトの変速判断時からそのアップシフトのイナーシャ相開始時までの過給圧Ｐcmoutの変化に基づいて算出されるが、そのイナーシャ相開始以前における過給圧Ｐcmoutの変化に基づいて算出されればよく、例えば、そのイナーシャ相開始以前の予め定められた時間内における過給圧Ｐcmoutの変化に基づいて算出されても差し支えない。
【００４９】
また、前述の実施例において、図５のフローチャートはＳＡ１を備えているが、そのＳＡ１が無くＳＡ２から開始しても差し支えない。
【００５０】
また、前述の実施例の図１において、ウェイストゲートバルブ６８が設けられているが、そのウェイストゲートバルブ６８は無くても差し支えない。
【００５１】
また、前述の実施例において、図１に示すように車両６はトルクコンバータ１４を備えているが、そのトルクコンバータ１４は必須ではない。
【００５２】
また、前述の実施例において、図４のタイムチャートに例示されているアップシフトは前記クラッチツークラッチ変速であるが、クラッチツークラッチ変速ではなく例えば前記解放側係合装置が一方向クラッチであることも考え得る。
【００５３】
また、前述の実施例において、油圧制御補正手段１０４は、前記第１過給圧上昇幅ΔP1が前記第１過給圧変動判定値α未満である場合、又は、前記第２過給圧上昇幅ΔP2が前記第２過給圧変動判定値βよりも大きい場合には、前記係合側油圧補正制御を実行するが、過給圧Ｐcmoutの変化が、図４に示されるように、前記パワーオンアップシフトのイナーシャ相開始時に低下から上昇に変わった場合には、そのイナーシャ相の途中の所定時点から前記係合側油圧補正制御を実行しても差し支えない。言い換えれば、油圧制御補正手段１０４は、過給圧Ｐcmoutの変化が前記パワーオンアップシフトのイナーシャ相開始時に低下から上昇に変わった場合には、そうならない場合と比較して、前記油圧増大幅dPenを大きくしても差し支えないということである。
【符号の説明】
【００５４】
６：車両
７：車両用駆動装置
１０：エンジン
１２：自動変速機
３８：駆動輪
５２：電子制御装置（制御装置）
５４：過給機
Ｃ１：第１クラッチ（係合装置）
Ｃ２：第２クラッチ（係合装置）
Ｂ１：第１ブレーキ（係合装置）
Ｂ２：第２ブレーキ（係合装置）
Ｂ３：第３ブレーキ（係合装置）
【図１】
2013174295.tif 000003
【図２】
2013174295.tif 000004
【図３】
2013174295.tif 000005
【図４】
2013174295.tif 000006
【図５】
2013174295.tif 000007